(57)【要約】      （修正有）【課題】交換方式が簡単で便利な家庭用水処理装置を提供する。【解決手段】箱体１を含む家庭用水処理装置であって、箱体には、集水チャンバ６、殺菌チャンバ７及びフィルタチャンバ８が設けられ、フィルタチャンバは、集水チャンバに連通するように集水チャンバの上方に設けられ、殺菌チャンバは、連通チャネル９を介して集水チャンバに連通するようにフィルタチャンバ及び集水チャンバの一方側に位置し、箱体のフィルタチャンバに位置する頂面には、開口が設けられ、フィルタチャンバには、頂端に入水口が設けられるフィルタ部材が設けられ、箱体の殺菌チャンバに位置する側壁には、殺菌チャンバに連通する排水口４が設けられ、入水口及び排水口には、いずれも漏水検出部材５が取り付けられる。第１フィルタ層、第２フィルタ層及び第３フィルタ層を採用してフィルタ素子スリーブに重ねて配置するようにフィルタ部材を構成する。【選択図】図２
0003233404.tif 000002
【実用新案登録請求の範囲】
【請求項１】
箱体（１）を含む家庭用水処理装置であって、
前記箱体（１）には、集水チャンバ（６）、殺菌チャンバ（７）及びフィルタチャンバ（８）が設けられ、前記フィルタチャンバ（８）は、集水チャンバ（６）に連通するように集水チャンバ（６）の上方に設けられ、前記殺菌チャンバ（７）は、連通チャネル（９）を介して集水チャンバ（６）に連通するように前記フィルタチャンバ（８）及び集水チャンバ（６）の一方側に位置し、前記箱体（１）の前記フィルタチャンバ（８）に位置する頂面には、開口が設けられ、前記フィルタチャンバ（８）には、頂端に入水口（３）が設けられるフィルタ部材が設けられ、前記箱体（１）の前記殺菌チャンバ（７）に位置する側壁には、前記殺菌チャンバ（７）に連通する排水口（４）が設けられ、前記入水口（３）及び排水口（４）には、いずれも漏水検出部材（５）が取り付けられ、前記箱体（１）の前記フィルタチャンバ（８）に位置する位置には、観察窓（２）が設けられ、前記殺菌チャンバ（７）には、紫外線消毒ランプ（１０）が設けられる、
ことを特徴とする家庭用水処理装置。
【請求項２】
前記フィルタ部材は、フィルタ素子スリーブ（１６）、第１フィルタ層、第２フィルタ層及び第３フィルタ層並びに取り外し可能な蓋（１９）を含む、
ことを特徴とする請求項１に記載の家庭用水処理装置。
【請求項３】
前記フィルタ素子スリーブ（１６）は、頂端にねじ孔が形成されるとともに、底端に貫通口が形成され、前記第１フィルタ層、第２フィルタ層及び第３フィルタ層は、間に圧入中空プレート（１４）が設けられるように前記フィルタ素子スリーブ（１６）に上から下に重ねて配置され、前記取り外し可能な蓋（１９）は、前記フィルタ素子スリーブ（１６）の頂端におけるねじ口に螺接され、前記フィルタ素子スリーブ（１６）の貫通口の周囲に位置する底端には、挿入リング（１２）が設けられる、
ことを特徴とする請求項２に記載の家庭用水処理装置。
【請求項４】
前記入水口（３）は、取り外し可能な蓋（１９）に設けられ、取り外し可能な蓋（１９）は、前記入水口（３）の下水口に位置する内壁に磁性体を採用して製造される磁気フィルタカバ（２０）が取り付けられる、
ことを特徴とする請求項３に記載の家庭用水処理装置。
【請求項５】
前記第１フィルタ層は、活性炭（１７）及び活性炭バッグ（１８）で構成され、前記活性炭（１７）は、前記活性炭バッグ（１８）に充填される、
ことを特徴とする請求項２に記載の家庭用水処理装置。
【請求項６】
前記第２フィルタ層は、それぞれ重ねて設けられる複数組が設けられるＰＰ綿（１５）で構成される、
ことを特徴とする請求項２に記載の家庭用水処理装置。
【請求項７】
前記第３フィルタ層は、ナノフィルタ膜（１３）全体を折り畳むことによって形成される、
ことを特徴とする請求項２に記載の家庭用水処理装置。
【請求項８】
前記集水チャンバ（６）の周囲には、前記挿入リング（１２）に対応するとともに、電磁石（１１）が設けられる挿入溝が設けられ、前記挿入リング（１２）は、金属材質を採用し、前記電磁石（１１）に接触して吸着するように前記挿入リング（１２）に配置される、
ことを特徴とする請求項３に記載の家庭用水処理装置。
【請求項９】
前記漏水検出部材（５）は、リング状溝（２１）、粉末色料（２２）、逆浸透膜（２３）、スポンジ層（２４）、外リング（２５）及びシャーシ（２６）を含む、
ことを特徴とする請求項１に記載の家庭用水処理装置。
【請求項１０】
前記外リング（２５）は、外リング壁に前記リング状溝（２１）が設けられるように前記シャーシ（２６）の辺縁に接続され、前記リング状溝（２１）には、前記スポンジ層（２４）、前記粉末色料（２２）及び前記逆浸透膜（２３）が取り付けられ、前記粉末色料（２２）は、前記スポンジ層（２４）と前記逆浸透膜（２３）との間に位置し、前記リング状溝（２１）の内外壁には、いずれも開口が設けられ、前記逆浸透膜（２３）は、前記リング状溝（２１）の外リング壁及び内リング壁における開口に位置し、前記排水口（４）は、前記シャーシ（２６）の中心を穿通し、前記外リング（２５）は、前記排水口（４）の周囲に覆設される、
ことを特徴とする請求項９に記載の家庭用水処理装置。
【考案の詳細な説明】
【技術分野】
【０００１】
本考案は、家庭用水処理の技術分野に関し、特に家庭用水処理装置に関するものである。
【背景技術】
【０００２】
水道水は浄水場で処理されるが、水処理方式の遅れ、配管汚染及び中間水槽の汚染などの問題により、水道水には浮遊物、重金属、細菌、ウイルス、残留塩素、土砂、鉄さび及び微生物が依然として存在するため、直接飲用の基準に達することができず、長期間飲用すると体に害を及ぼすため、水道水をフィルタ処理する必要がある。
【０００３】
しかしながら、従来の家庭用水処理装置には以下の欠点が存在する。
１、従来の家庭用水処理装置は、一般的にさまざまなフィルタ製品を利用してフィルタするが、従来の家庭用水処理装置におけるフィルタ部品の取り付け過程は煩雑であるため、その後の交換が非常に不便になる。
２、家庭用水処理装置と水道水管の接続部は漏水が発生しやすいが、一般的な家庭用水処理装置は水槽の下方に取り付けられており、発生した小さな漏水を直ちに発見することは困難である。
【考案の概要】
【０００４】
本考案の目的は、従来の家庭用水処理装置は、一般的にさまざまなフィルタ製品を利用してフィルタするが、従来の家庭用水処理装置におけるフィルタ部品の取り付け過程は煩雑であるため、その後の交換が非常に不便になり、家庭用水処理装置と水道水管の接続部は漏水が発生しやすいが、一般的な家庭用水処理装置は水槽の下方に取り付けられており、発生した小さな漏水を直ちに発見することは困難であるという上記背景技術における問題を解決するために家庭用水処理装置を提供することにある。
【０００５】
上記目的を実現するために、本考案によれば、箱体を含む家庭用水処理装置であって、前記箱体には、集水チャンバ、殺菌チャンバ及びフィルタチャンバが設けられ、前記フィルタチャンバは、集水チャンバに連通するように集水チャンバの上方に設けられ、前記殺菌チャンバは、連通チャネルを介して集水チャンバに連通するようにフィルタチャンバ及び集水チャンバの一方側に位置し、前記箱体のフィルタチャンバに位置する頂面には、開口が設けられ、フィルタチャンバには、頂端に入水口が設けられるフィルタ部材が設けられ、前記箱体の殺菌チャンバに位置する側壁には、殺菌チャンバに連通する排水口が設けられ、前記入水口及び排水口には、いずれも漏水検出部材が取り付けられ、前記箱体のフィルタチャンバに位置する位置には、観察窓が設けられ、前記殺菌チャンバには、紫外線消毒ランプが設けられる家庭用水処理装置という技術的手段が提供される。
【０００６】
前記フィルタ部材は、フィルタ素子スリーブ、第１フィルタ層、第２フィルタ層及び第３フィルタ層並びに取り外し可能な蓋を含むことが好ましい。
【０００７】
前記フィルタ素子スリーブは、頂端にねじ孔が形成されるとともに、底端に貫通口が形成され、前記第１フィルタ層、第２フィルタ層及び第３フィルタ層は、間に圧入中空プレートが設けられるようにフィルタ素子スリーブに上から下に重ねて配置され、前記取り外し可能な蓋は、フィルタ素子スリーブの頂端におけるねじ口に螺接され、前記フィルタ素子スリーブの貫通口の周囲に位置する底端には、挿入リングが設けられることが好ましい。
【０００８】
前記入水口は、取り外し可能な蓋に設けられ、取り外し可能な蓋は、入水口の下水口に位置する内壁に磁性体を採用して製造される磁気フィルタカバが取り付けられることが好ましい。
【０００９】
前記第１フィルタ層は、活性炭及び活性炭バッグで構成され、前記活性炭は、活性炭バッグに充填されることが好ましい。
【００１０】
前記第２フィルタ層は、それぞれ重ねて設けられる複数組が設けられるＰＰ綿で構成されることが好ましい。
【００１１】
前記第３フィルタ層は、ナノフィルタ膜全体を折り畳むことによって形成されることが好ましい。
【００１２】
前記集水チャンバの周囲には、挿入リングに対応するとともに、電磁石が設けられる挿入溝が設けられ、前記挿入リングは、金属材質を採用し、電磁石に接触して吸着するように挿入リングに配置されることが好ましい。
【００１３】
前記漏水検出部材は、リング状溝、粉末色料、逆浸透膜、スポンジ層、外リング及びシャーシを含むことが好ましい。
【００１４】
前記外リングは、外リング壁にリング状溝が設けられるようにシャーシの辺縁に接続され、前記リング状溝には、スポンジ層、粉末色料及び逆浸透膜が取り付けられ、粉末色料は、スポンジ層と逆浸透膜との間に位置し、前記リング状溝の内外壁には、いずれも開口が設けられ、前記逆浸透膜は、リング状溝の外リング壁及び内リング壁における開口に位置し、前記排水口は、シャーシの中心を穿通し、前記外リングは、排水口の周囲に覆設されることが好ましい。
【考案の効果】
【００１５】
（１）本考案によれば、第１フィルタ層、第２フィルタ層及び第３フィルタ層を採用してフィルタ素子スリーブに重ねて配置するようにフィルタ部材を構成し、フィルタ素子スリーブの頂端に取り外し可能な蓋を螺接することにより、使用時において、取り外し可能な蓋を取り外し、それからフィルタ素子スリーブにおける第１フィルタ層、第２フィルタ層及び第３フィルタ層を取り出して交換すればよく、交換方式が簡単で便利である。また、第１フィルタ層、第２フィルタ層及び第３フィルタ層の使用状況を観察窓からいつでも観察することができ、状況に応じて交換するのに便利である。
（２）本考案によれば、フィルタ素子スリーブの底端に磁気吸着金属製の挿入リングを設けるとともに、フィルタチャンバの周囲に、電磁石が設けられる対応する挿入溝を設けることにより、取り付け時において、フィルタ素子スリーブをフィルタチャンバに配置した後、フィルタ素子スリーブの底端における挿入リングを挿入溝における電磁石に接触させるように挿入溝に挿入し、電磁石を起動させると、電磁石を利用して電磁石をしっかりと吸着することができ、フィルタ素子スリーブがしっかりと取り付けられるようになる。取り外し時において、電磁石の電源を切ればよく、簡単で便利である。
（３）本考案によれば、リング状溝、粉末色料、逆浸透膜、スポンジ層、外リング及びシャーシを採用して漏水検出部材を構成し、入水口、排水口と水道水管の接続部に漏水検出部材を取り付けることにより、入水口及び排水口の接続部において漏水が発生したとき、水は、粉末色料に接触するように逆浸透膜を通過してリング状溝に進入し、粉末色料を溶解させ、それから粉末色料の外部におけるスポンジ層に吸着する。スポンジ層の底端の色から漏水が発生したか否かを簡単に判別することができ、直ちに発見するのに便利である。
【図面の簡単な説明】
【００１６】
【図１】本考案の全体構造を示す概略図である。
【図２】本考案の内部構造を示す概略図である。
【図３】本考案に係るナノフィルタ膜の構造を示す概略図である。
【図４】本考案に係る漏水検出部材の構造を示す概略図である。
【考案を実施するための形態】
【００１７】
図１〜図４に示すように、本考案によれば、箱体１を含む家庭用水処理装置であって、前記箱体１には、集水チャンバ６、殺菌チャンバ７及びフィルタチャンバ８が設けられ、前記フィルタチャンバ８は、集水チャンバ６に連通するように集水チャンバ６の上方に設けられ、前記殺菌チャンバ７は、連通チャネル９を介して集水チャンバ６に連通するようにフィルタチャンバ８及び集水チャンバ６の一方側に位置し、前記箱体１のフィルタチャンバ８に位置する頂面には、開口が設けられ、フィルタチャンバ８には、頂端に入水口３が設けられるフィルタ部材が設けられ、前記箱体１の殺菌チャンバ７に位置する側壁には、殺菌チャンバ７に連通する排水口４が設けられ、前記入水口３及び排水口４には、いずれも漏水検出部材５が取り付けられ、前記箱体１のフィルタチャンバ８に位置する位置には、観察窓２が設けられ、前記殺菌チャンバ７には、紫外線消毒ランプ１０が設けられる家庭用水処理装置という技術的手段が提供される。
【００１８】
前記フィルタ部材は、フィルタ素子スリーブ１６、第１フィルタ層、第２フィルタ層及び第３フィルタ層並びに取り外し可能な蓋１９を含む。フィルタ素子スリーブ１６、第１フィルタ層、第２フィルタ層及び第３フィルタ層並びに取り外し可能な蓋１９は、フィルタ部材を構成する。
【００１９】
前記フィルタ素子スリーブ１６は、頂端にねじ孔が形成されるとともに、底端に貫通口が形成され、前記第１フィルタ層、第２フィルタ層及び第３フィルタ層は、間に圧入中空プレート１４が設けられるようにフィルタ素子スリーブ１６に上から下に重ねて配置され、前記取り外し可能な蓋１９は、フィルタ素子スリーブ１６の頂端におけるねじ口に螺接され、前記フィルタ素子スリーブ１６の貫通口の周囲に位置する底端には、挿入リング１２が設けられる。前記第１フィルタ層、第２フィルタ層及び第３フィルタ層を利用して水道水における不純物や有害物質を層ごとにフィルタする。
【００２０】
前記入水口３は、取り外し可能な蓋１９に設けられ、取り外し可能な蓋１９は、入水口３の下水口に位置する内壁に磁性体を採用して製造される磁気フィルタカバ２０が取り付けられる。磁気フィルタカバ２０を利用して水中の金属物質を吸着するのに便利である。
【００２１】
前記第１フィルタ層は、活性炭１７及び活性炭バッグ１８で構成され、前記活性炭１７は、活性炭バッグ１８に充填される。前記第２フィルタ層は、それぞれ重ねて設けられる複数組が設けられるＰＰ綿１５で構成される。前記第３フィルタ層は、ナノフィルタ膜１３全体を折り畳むことによって形成される。第１フィルタ層、第２フィルタ層及び第３フィルタ層を利用して層ごとにフィルタし、フィルタ効果が保証される。
【００２２】
前記集水チャンバ６の周囲には、挿入リング１２に対応するとともに、電磁石１１が設けられる挿入溝が設けられ、前記挿入リング１２は、金属材質を採用し、電磁石１１に接触して吸着するように挿入リング１２に配置される。フィルタ素子スリーブ１６の底端における挿入リング１２を挿入溝における電磁石１１に接触させるように挿入溝に挿入し、電磁石１１を起動させると、電磁石１１を利用して電磁石１１をしっかりと吸着することができ、フィルタ素子スリーブ１６がしっかりと取り付けられるようになる。
【００２３】
前記漏水検出部材５は、リング状溝２１、粉末色料２２、逆浸透膜２３、スポンジ層２４、外リング２５及びシャーシ２６を含む。リング状溝２１、粉末色料２２、逆浸透膜２３、スポンジ層２４、外リング２５及びシャーシ２６は、漏水検出部材５を構成する。
【００２４】
前記外リング２５は、外リング壁にリング状溝２１が設けられるようにシャーシ２６の辺縁に接続され、前記リング状溝２１には、スポンジ層２４、粉末色料２２及び逆浸透膜２３が取り付けられ、粉末色料２２は、スポンジ層２４と逆浸透膜２３との間に位置し、前記リング状溝２１の内外壁には、いずれも開口が設けられ、前記逆浸透膜２３は、リング状溝２１の外リング壁及び内リング壁における開口に位置し、前記排水口４は、シャーシ２６の中心を穿通し、前記外リング２５は、排水口４の周囲に覆設される。入水口３及び排水口４の接続部において漏水が発生したとき、水は、粉末色料２２に接触するように逆浸透膜２３を通過してリング状溝２１に進入し、粉末色料２２を溶解させ、それから粉末色料２２の外部におけるスポンジ層２４に吸着する。それにより漏水が発生したか否かを簡単に判別することができ、直ちに発見するのに便利である。
【００２５】
なお、家庭用水処理装置は、動作時において、家庭用水道水の水道管を箱体１の入水口３及び排水口４に接続する。水道水は、入水口３からフィルタチャンバ８に流入する。水道水は、入水口３から流入した後、取り外し可能な蓋１９の内壁における磁気フィルタカバ２０に接触し、磁気フィルタカバ２０を利用して水中の金属物を吸着し、それから第１フィルタ層の活性炭１７、第２フィルタ層のＰＰ綿１５及び第３フィルタ層のナノフィルタ膜１３を順に流れ、第１フィルタ層、第２フィルタ層及び第３フィルタ層を利用して層ごとにフィルタし、水中に含まれる有害物質や不純物をフィルタ部材に重ねて差し止め、それからフィルタした水は、集水チャンバ６に進入し、連通チャネル９を通過して殺菌チャンバ７に進入し、殺菌チャンバ７における紫外線消毒ランプ１０を利用して消毒殺菌し、それから排水口４から流出する。水処理装置によって処理された水は有害物質や不純物が効果的に低減される。第１フィルタ層、第２フィルタ層及び第３フィルタ層を採用してフィルタ素子スリーブ１６に重ねて配置するようにフィルタ部材を構成し、フィルタ素子スリーブ１６の頂端に取り外し可能な蓋１９を螺接することにより、使用時において、取り外し可能な蓋１９を取り外し、それからフィルタ素子スリーブ１６における第１フィルタ層、第２フィルタ層及び第３フィルタ層を取り出して交換すればよく、簡単で便利である。また、第１フィルタ層、第２フィルタ層及び第３フィルタ層の使用状況を観察窓２からいつでも観察することができる。フィルタ素子スリーブ１６の取り付け時において、フィルタ素子スリーブ１６をフィルタチャンバ８に配置した後、フィルタ素子スリーブ１６の底端における挿入リング１２を挿入溝における電磁石１１に接触させるように挿入溝に挿入し、電磁石１１を起動させると、電磁石１１を利用して電磁石１１をしっかりと吸着することができ、フィルタ素子スリーブ１６がしっかりと取り付けられるようになる。入水口３及び排水口４と水道水管の接続部に漏水検出部材５を取り付けることにより、入水口３及び排水口４の接続部において漏水が発生したとき、水は、粉末色料２２に接触するように逆浸透膜２３を通過してリング状溝２１に進入し、粉末色料２２を溶解させ、それから粉末色料２２の外部におけるスポンジ層２４に吸着する。それにより漏水が発生したか否かを簡単に判別することができ、直ちに発見するのに便利である。
【符号の説明】
【００２６】
１、箱体
２、観察窓
３、入水口
４、排水口
５、漏水検出部材
６、集水チャンバ
７、殺菌チャンバ
８、フィルタチャンバ
９、連通チャネル
１０、紫外線消毒ランプ
１１、電磁石
１２、挿入リング
１３、ナノフィルタ膜
１４、圧入中空プレート
１５、ＰＰ綿
１６、フィルタ素子スリーブ
１７、活性炭
１８、活性炭バッグ
１９、取り外し可能な蓋
２０、磁気フィルタカバ
２１、リング状溝
２２、粉末色料
２３、逆浸透膜
２４、スポンジ層
２５、外リング
２６、シャーシ
【図１】
0003233404.tif 000003
【図２】
0003233404.tif 000004
【図３】
0003233404.tif 000005
【図４】
0003233404.tif 000006